(57)【特許請求の範囲】
【請求項１】
複数のヒュージブルリンクを収容したヒュージブルリンクブロックと、
前記ヒュージブルリンクの下流の分岐回路に配設される複数のヒューズを収容したヒューズブロックと、
前記ヒュージブルリンクブロック及び前記ヒューズブロック並びに各種電子部品が実装される回路基板と、
を備えた電気接続箱であって、
前記ヒューズブロックが前記回路基板に載置され、
前記ヒュージブルリンクブロックが前記ヒューズブロック上に積み重ねられ、
前記ヒュージブルリンクブロック及び前記ヒューズブロックが、前記分岐回路を形成するバスバーで互いに接続されていることを特徴とする電気接続箱。
【請求項２】
前記ヒューズブロックが前記回路基板の縁部に載置され、
前記ヒュージブルリンクブロックが、前記回路基板の縁部から突出するように、階段状に前記ヒューズブロック上に積み重ねられていることを特徴とする請求項１に記載の電気接続箱。
【請求項３】
前記ヒュージブルリンクの上流に配設される回路体が前記回路基板に平行に配索され、
前記回路体と前記回路基板との間に仕切り板が設けられていることを特徴とする請求項１または請求項２に記載の電気接続箱。
【請求項４】
前記ヒュージブルリンクが、前記バスバーおよび前記回路体の端子部分と共に前記ヒュージブルリンクブロックの取付部にねじ止めされる螺着型ヒュージブルリンクであって、
前記取付部が、前記ヒュージブルリンクブロックにおいて前記回路基板の縁部から突出して配置された部分に設けられていることを特徴とする請求項３に記載の電気接続箱。
【発明の詳細な説明】
【技術分野】
【０００１】
本発明は、自動車等の車両に搭載される電気接続箱に関する。
【背景技術】
【０００２】
自動車等の車両には、一般に、ヘッドランプやテールランプなどのランプ類、スタータモータやエアコンディショナ用モータなどのモータ類、等の多種の電装品が搭載されており、これら電装品にバッテリやオルタネータなどの電源の電力を分配するために電気接続箱が用いられている。
【０００３】
電気接続箱において、電源から供給される電流は、まず、ランプ類、モータ類、等の系統に大別される。各系統の回路の上流側には、一般のヒューズに比べ定格容量が大きいヒュージブルリンクがそれぞれ配設され、超過大な電流が流れた際には、まずヒュージブルリンクが溶断して当該ヒュージブルリンクの下流の回路が保護される。
【０００４】
そして、ヒュージブルリンクの下流にて、例えばランプ類系統の回路はヘッドランプやテールランプなどに個別に繋がる回路に分岐され、またモータ類系統の回路はスタータモータやエアコンディショナ用モータなどに個別に繋がる回路に分岐される。これら分岐された各回路にはヒューズがそれぞれ配設され、過大な電流が流れた際には、ヒューズが溶断して当該ヒューズの下流の回路や電装品が保護される。
【０００５】
従来、このような電気接続箱は、ヒュージブルリンクやヒューズの交換を容易とするため、ヒュージブルリンク、ヒューズ、その他リレー等の各種電子部品を種別毎に集約してモジュール化したブロックをワイヤハーネスで相互に接続して構成されている（例えば、特許文献１参照）。
【０００６】
図２に示すように、特許文献１に開示された電気接続箱１は、自動車のエンジンルームと車室との隔壁に固定されており、エンジンルーム側に配置される電気接続箱部分２と、車室側に配置される電気接続箱部分３とを備えている。エンジンルーム側の電気接続箱部分２にはヒュージブルリンク４やヒューズ５が集約され、また、車室側の電気接続箱部分３にはリレー６やＥＣＵ（電子制御ユニット）７などの電子部品が集約されている。そして、エンジンルーム側の電気接続箱部分２および車室側の電気接続箱部分３とは、両者に跨って配索されたワイヤハーネス８により接続されている。
【０００７】
【特許文献１】特開２００３−２１９５３８号公報
【発明の開示】
【発明が解決しようとする課題】
【０００８】
近年、自動車等の車両の高機能化に伴い車両に搭載される電装品が増加する傾向にあり、よって電気接続箱において分岐される回路も増加する傾向にある。上述のようにヒュージブルリンク、ヒューズ、その他リレー等の各種電子部品が種別毎に集約されたブロックがワイヤハーネスで相互に接続される場合、回路の増加に伴いワイヤハーネスに束ねられる電線が増加し、ワイヤハーネスの配索スペースが拡大してしまう虞がある。
【０００９】
ここで、ヒュージブルリンクには比較的大電流が流れ、その発熱も大きいため、これらヒュージブルリンクが集約されたヒュージブルリンクブロックは、他のブロック、特にリレー等の各種電子部品が集約されたブロックから離間して配置されることが好ましい。そして、ブロック間をつなぐワイヤハーネスは、その配索経路の都合により屈曲させて配索せざるを得ない場合があるが、ヒュージブルリンクには比較的大電流が流れるため、ヒュージブルリンクに接続される電線は太物電線が用いられる。これら太物電線は曲げ癖が付けにくく、そのためヒュージブルリンクブロックに接続されるワイヤハーネスは、回路の増加と相まって、特にその配索スペースが大きく拡大してしまう虞がある。
【００１０】
このようなワイヤハーネスの配索スペースの拡大は電気接続箱の小型化を図る上で好ましくない。
【００１１】
本発明は、上述した事情に鑑みてなされたものであり、その目的は、小型化を図り、さらにはヒュージブルリンクなどからの熱に対して対策を講じた電気接続箱を提供することにある。
【課題を解決するための手段】
【００１２】
上記目的は、本発明に係る下記（１）〜（４）の電気接続箱により達成される。
【００１３】
（１）複数のヒュージブルリンクを収容したヒュージブルリンクブロックと、前記ヒュージブルリンクの下流の分岐回路に配設される複数のヒューズを収容したヒューズブロックと、前記ヒュージブルリンクブロック及び前記ヒューズブロック並びに各種電子部品が実装される回路基板と、を備えた電気接続箱であって、前記ヒューズブロックが前記回路基板に載置され、前記ヒュージブルリンクブロックが前記ヒューズブロック上に積み重ねられ、前記ヒュージブルリンクブロック及び前記ヒューズブロックが、前記分岐回路を形成するバスバーで互いに接続されていることを特徴とする電気接続箱。
【００１５】
（２）前記ヒューズブロックが前記回路基板の縁部に載置され、前記ヒュージブルリンクブロックが、前記回路基板の縁部から突出するように、階段状に前記ヒューズブロック上に積み重ねられていることを特徴とする（１）に記載の電気接続箱。
【００１６】
（３）前記各ヒュージブルリンクの上流に配設される回路体が前記回路基板の基板面に平行に配索され、前記回路体と前記回路基板との間に仕切り板が設けられていることを特徴とする（１）または（２）に記載の電気接続箱。
【００１７】
（４）前記ヒュージブルリンクが、前記バスバーおよび前記回路体の端子部分と共に前
記ヒュージブルリンクブロックの取付部にねじ止めされる螺着型ヒュージブルリンクであ
って、前記取付部が、前記ヒュージブルリンクブロックにおいて前記回路基板の縁部から
突出して配置された部分に設けられていることを特徴とする（４）に記載の電気接続箱。
【００１８】
上記（１）に記載の電気接続箱によれば、ヒュージブルリンクブロックとヒューズブロックとが積み重ねられて回路基板に実装されているので、両者をバスバーで接続することが容易である。そして、ヒュージブルリンクブロックとヒューズブロックとを分岐回路を形成するバスバーで接続することでワイヤハーネスを削減し、これにより、電気接続箱の小型化を図ることができる。
また、回路基板に載置されたヒューズブロック上にヒュージブルリンクブロックが積み重ねられているので、発熱の比較的大きいヒュージブルリンクが回路基板から離間して配置される。これにより、ヒュージブルリンクからの熱が回路基板の各種電子部品に与える影響を低減することができる。
【００２０】
上記（２）に記載の電気接続箱によれば、ヒュージブルリンクブロックが回路基板の縁部から突出することで、発熱の比較的大きいヒュージブルリンクが回路基板から一層離間して配置される。これにより、ヒュージブルリンクからの熱が回路基板の各種電子部品に与える影響を一層低減することができる。
【００２１】
上記（３）に記載の電気接続箱によれば、ヒュージブルリンクブロックはヒューズブロック上に積み重ねられて回路基板から離間して配置されており、ヒュージブルリンクの上流に配設される回路体が回路基板に平行に配索されることで回路体と回路基板との間に隙間がおかれ、そして、この隙間に仕切り板が設けられている。ここで、ヒュージブルリンクの上流の回路体にはヒュージブルリンク同様に比較的大きな電流が流れ、よって、回路体の発熱も大きいが、回路体と回路基板との間に設けた仕切り板によって回路体からの熱が回路基板の各種電子部品に与える影響を低減することができる。
また、回路体を、回路基板から離間するように屈曲させることなく、回路基板と平行に配索するのみでも当該回路体と回路基板との間に隙間をおくことができ、よって、回路体に余計な曲げ癖をつけることがなく、放熱性に優れる。
【００２２】
上記（４）に記載の電気接続箱によれば、取付部が、ヒュージブルリンクブロックにおいて回路基板の縁部から突出した部分に設けられているので、バスバーおよび回路体の端子部分と共に螺着型ヒュージブルリンクを取付部にねじ止めする際の作業スペースが確保されている。これにより、ヒュージブルリンクのねじ止め作業を容易なものとすることができる。
【発明の効果】
【００２３】
本発明によれば、小型化を図り、さらにはヒュージブルリンクなどからの熱に対して対策を講じた電気接続箱を提供することができる。
【発明を実施するための最良の形態】
【００２４】
以下、本発明に係る好適な実施形態を図面に基づいて詳細に説明する。
図１は、本発明に係る電気接続箱の一実施形態の概略構成図である。
【００２５】
図１に示すように、本実施形態の電気接続箱１０は、有底筒状のケース本体１１と、ケース本体１１の上部開口を覆うようにケース本体１１の上部に取り付けられるアッパーカバー１２と、ケース本体１１の底面に設けられた出力コネクタ１４を覆うようにケース本体１１の底部に取り付けられるロアカバー１３とを備えている。
【００２６】
そして、ケース本体１１内には、複数のヒュージブルリンクを収容したヒュージブルリンクブロック１５と、複数のヒューズを収容したヒューズブロック１６と、ヒュージブルリンクブロック１５及びヒューズブロック１６並びにリレー等の各種電子部品１７が実装された回路基板１８とが収容されている。
【００２７】
ここで、電気接続箱１０の回路構成を簡単に説明すると、電源から電気接続箱１０に供給された電流は、まず、いくつかの系統に大別される。各系統の回路の上流側にはヒュージブルリンクがそれぞれ配設され、これらヒュージブルリンクはヒュージブルリンクブロック１５に収容されて集約されている。各系統の回路に超過大な電流が流れた際には、まずヒュージブルリンクが溶断して当該ヒュージブルリンクの下流の回路が保護される。
【００２８】
そして、各系統の回路はヒュージブルリンクの下流にて分岐される。分岐された各回路にはヒューズがそれぞれ配設され、これらヒューズはヒューズブロック１６に収容されて集約されている。分岐された各回路に過大な電流が流れた際には、ヒューズが溶断して当該ヒューズの下流の回路が保護される。
【００２９】
再び図１を参照して、回路基板１８はケース本体１１の底面に対して起立した状態に配置され、そして、ヒュージブルリンクブロック１５およびヒューズブロック１６は互いに隣接して回路基板１８に実装されている。より詳細には、ヒューズブロック１６が、ケース本体１１の上部開口に臨む回路基板１８の上側縁部１８ａに載置され、ヒュージブルリンクブロック１５が、回路基板１８の上側縁部１８ａよりも上方に突出するように、階段状にヒューズブロック１６上に積み重ねられて、回路基板１８に実装されている。
【００３０】
ヒュージブルリンクの上流の回路は、例えば電線やバスバーなどの回路体１９で形成されており、当該回路体１９は回路基板１８に平行に配索されてヒュージブルリンクブロック１５からケース本体１１の底部に向けて伸び、電源に繋がる不図示のコネクタに接続されている。また、ヒュージブルリンクの下流にて分岐する分岐回路はバスバー２０で形成されており、ヒュージブルリンクブロック１５とヒューズブロック１６とは当該バスバー２０で直接に接続されている。
【００３１】
ヒュージブルリンクブロック１５はヒューズブロック１６上に積み重ねられて回路基板１８から離間して配置されており、ヒュージブルリンクブロック１５からケース本体１１の底部に向けて回路基板１８に平行に配索された回路体１９と回路基板１８との間には隙間がおかれている。そして、この隙間には、ケース本体１１の底面に立設された仕切り板２３が配置されている。
【００３２】
本実施形態において、ヒュージブルリンクは回路体１９の端子部分１９ａおよびバスバー２０の端子部分２０ａと共にヒュージブルリンクブロック１５の取付部１５ａにねじ止めされる螺着型ヒュージブルリンクである。取付部１５ａは、ヒュージブルリンクブロック１５において回路基板１８の上側縁部１８ａよりも上方に突出して配置された部分に設けられており、取付部１５ａに形成されたねじ挿通孔１５ｂの近傍には十分な作業スペースが確保されている。
【００３３】
ヒューズの下流は、例えば電線やバスバーあるいはヒューズのリード端子などの回路体２１を介して回路基板１８に形成された回路に接続し、各種電子部品１７を中継して出力コネクタ１４に接続している。また、定格容量の小さい一部のヒュージブルリンクの下流も、回路体２２を介して回路基板１８に形成された回路に接続し、各種電子部品１７を中継して出力コネクタ１４に接続している。
【００３４】
本実施形態の電気接続箱１０によれば、ヒュージブルリンクブロック１５とヒューズブロック１６とが隣接して回路基板１８に実装されているので、両者をバスバーで接続することが容易である。そして、ヒュージブルリンクブロック１５とヒューズブロック１６とを分岐回路を形成するバスバー２０で接続することでワイヤハーネスを削減し、これにより、電気接続箱１０の小型化を図ることができる。
【００３５】
また、本実施形態の電気接続箱１０によれば、ヒューズブロック１６がケース本体１１の上部開口に臨む回路基板１８に載置され、ヒュージブルリンクブロック１５がヒューズブロック１６上に積み重ねられている。このため、発熱の比較的大きいヒュージブルリンクが回路基板１８から離間して配置されている。これにより、ヒュージブルリンクからの熱が回路基板１８の各種電子部品１７に与える影響を低減することができる。
【００３６】
また、本実施形態の電気接続箱１０によれば、ヒュージブルリンクブロック１５が回路基板１８の上側縁部１８ａから突出することで、発熱の比較的大きいヒュージブルリンクが回路基板１８から一層離間して配置されている。これにより、ヒュージブルリンクからの熱が回路基板１８の各種電子部品１７に与える影響を一層低減することができる。
【００３７】
また、本実施形態の電気接続箱１０によれば、ヒュージブルリンクブロック１５はヒューズブロック１６上に積み重ねられて回路基板１８から離間して配置されており、ヒュージブルリンクの上流に配設される回路体１９が回路基板１８に平行に配索されることで回路体１９と回路基板１８との間に隙間がおかれ、そして、この隙間に仕切り板２３が設けられている。ここで、ヒュージブルリンクの上流の回路体１９にはヒュージブルリンク同様に比較的大きな電流が流れ、よって、回路体１９の発熱も大きいが、回路体１９と回路基板１８との間に設けた仕切り板２３によって回路体１９からの熱が回路基板１８の各種電子部品１７に与える影響を低減することができる。
また、回路体１９を、回路基板１８から離間するように屈曲させることなく、回路基板１８と平行に配索するするのみでも当該回路体１９と回路基板１８との間に隙間をおくことができ、よって、回路体１９に余計な曲げ癖をつけることがなく、放熱性に優れる。
【００３８】
また、本実施形態の電気接続箱１０によれば、取付部１５ａが、ヒュージブルリンクブロック１５において回路基板１８の上側縁部１８ａから突出した位置に設けられているので、バスバー２０および回路体１９の端子部分と共にヒュージブルリンクを取付部１５ａにねじ止めする際の作業スペースが確保されている。これにより、ヒュージブルリンクのねじ止め作業を容易なものとすることができる。
【００３９】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【図面の簡単な説明】
【００４０】
【図１】本発明に係る電気接続箱の一実施形態の概略構成図である。
【図２】従来の電気接続箱の斜視図である。
【符号の説明】
【００４１】
１０    電気接続箱
１１    ケース本体
１２    アッパーカバー
１３    ロアカバー
１４    出力コネクタ
１５    ヒュージブルリンクブロック
１５ａ  取付部
１５ｂ  ねじ挿通孔
１６    ヒューズブロック
１７    各種電子部品
１８    回路基板
１９    回路体
２０    バスバー
２１    回路体
２２    回路体
２３    仕切り板
【図１】
0004394042.tif 000002
【図２】
0004394042.tif 000003